【手続補正書】
【提出日】平成30年6月4日(2018.6.4)
【手続補正１】
【補正対象書類名】明細書
【補正対象項目名】００２４
【補正方法】変更
【補正の内容】
【００２４】
【図１】第１実施形態の自転車用表示装置を搭載する自転車の側面図。
【図２】図１の自転車に搭載可能な第１自転車用電子システムの電気的な構成を示すブロック図。
【図３】図１の自転車に搭載可能な第２自転車用電子システムの電気的な構成を示すブロック図。
【図４】図１の自転車用表示装置が取り付けられたハンドルバーの一部を示す斜視図。
【図５】図４の自転車用表示装置に表示される画面の第１例を示す図。
【図６】図４の自転車用表示装置によって実行される表示部の表示を変更する制御のフローチャート。
【図７】図４の自転車用表示装置に表示される画面の第２例を示す図。
【図８】図４の自転車用表示装置に表示される画面の第３例を示す図。
【図９】図４の自転車用表示装置に表示される画面の第４例を示す図。
【図１０】図４の自転車用表示装置に表示される画面の第５例を示す図。
【図１１】図４の自転車用表示装置に表示される画面の第６例を示す図。
【図１２】図４の自転車用表示装置に表示される画面の第７例を示す図。
【図１３】図４の自転車用表示装置に表示される画面の第８例を示す図。
【図１４】第２実施形態の自転車用表示装置によって実行される画面の表示領域を変更する制御のフローチャート。
【図１５】第２実施形態の自転車用表示装置に表示される画面の第９例を示す図。
【図１６】第２実施形態の自転車用表示装置に表示される画面の第１０例を示す図。
【図１７】変形例の自転車用表示装置に表示される画面の一例を示す図。
【図１８】第２実施形態の変形例の自転車用表示装置によって実行される画面の表示領域を変更する制御のフローチャート。
【手続補正２】
【補正対象書類名】明細書
【補正対象項目名】００３９
【補正方法】変更
【補正の内容】
【００３９】
第１モータ７２Ａは、自転車１０の推進をアシストする。第１モータ７２Ａは、電気モータを含む。駆動回路７４Ａは、バッテリ６２から第１モータ７２Ａに供給される電力を制御する。第１モータ７２Ａは、ペダル２８から後輪１４までの人力駆動力の伝達経路、または、前輪１２に回転を伝達するように設けられる。第１モータ７２Ａは、自転車１０のフレーム２０、後輪１４、または、前輪１２に設けられる。一例では、第１モータ７２Ａは、クランク軸３８からフロント回転体３２までの動力伝達経路に結合される。第１モータ７２Ａとクランク軸３８との間の動力伝達経路には、クランク軸３８を自転車１０が前進する方向に回転させた場合に、クランク２６の回転力によって第１モータ７２Ａが回転しないように第１のワンウェイクラッチ（図示略）が設けられるのが好ましい。第１自転車用コンポーネント５６Ａは、第１モータ７２Ａの回転を減速して出力する減速機を含んでいてもよい。クランク軸３８とフロント回転体３２との間の動力伝達経路には、クランク軸３８を自転車１０が前進する方向とは逆方向に回転させた場合に、クランク２６の回転力によってフロント回転体３２が回転しないように第２のワンウェイクラッチ（図示略）が設けられるのが好ましい。
【手続補正３】
【補正対象書類名】明細書
【補正対象項目名】００４５
【補正方法】変更
【補正の内容】
【００４５】
第１変速装置５８Ａは、第１変速機８４Ａ、制御部８６Ａ、アクチュエータ８７Ａ、通信部８８Ａ、および、変速状態検出装置８９Ａを含む。
第１変速機８４Ａは、自転車１０の変速比を段階的に変更可能である。一例では、第１変速機８４Ａは、クランク軸３８の回転速度に対する後輪１４の回転速度の比率である変速比を変更可能に構成される。第１変速機８４Ａは、内装変速機を含む。内装変速機は、後輪１４のハブに設けられる。内装変速機は、クランク２６とフロント回転体３２との間の動力伝達経路に設けられてもよい。別の例では、第１変速機８４Ａは、複数のフロントスプロケットまたは複数のリアスプロケットの間でチェーン３６を掛け替えることによって、変速比を変更可能に構成される。この場合、第１変速機８４Ａは、外装変速機（ディレイラ）を含む。外装変速機は、複数のフロントスプロケット間でチェーン３６を掛け替えるフロント外装変速機、および、複数のリアスプロケット間でチェーン３６を掛け替えるリア外装変速機の少なくとも一方を含む。第１変速機８４Ａが外装変速機を含まない場合、フロント回転体３２は、フロントプーリを含み、リア回転体３４は、ベルトによってフロント回転体３２と連結されるリアプーリを含む構成としてもよい。第１変速機８４Ａが外装変速機を含まない場合、フロント回転体３２は、フロントベベルギアを含み、リア回転体３４は、ドライブシャフトによってフロント回転体３２と連結されるリアベベルギアを含む構成としてもよい。第１変速機８４Ａが外装変速機を含む場合、フロント回転体３２およびリア回転体３４の少なくともいずれか一方は、歯数の異なる複数のスプロケットを含む。
【手続補正４】
【補正対象書類名】明細書
【補正対象項目名】００５６
【補正方法】変更
【補正の内容】
【００５６】
第２変速装置５８Ｂは、第２変速機８４Ｂ、制御部８６Ｂ、および、アクチュエータ８７Ｂ、通信部８８Ｂ、および、変速状態検出装置８９Ｂを含む。第２変速機８４Ｂ、制御部８６Ｂ、および、アクチュエータ８７Ｂ、通信部８８Ｂ、および、変速状態検出装置８９Ｂは、第１変速装置５８Ａの第１変速機８４Ａ、制御部８６Ａ、および、アクチュエータ８７Ａ、通信部８８Ａ、および、変速状態検出装置８９Ａと同様に構成される。第１変速装置５８Ａの第１変速機８４Ａ、制御部８６Ａ、および、アクチュエータ８７Ａ、通信部８８Ａ、および、変速状態検出装置８９Ａのそれぞれの構造および機能は、第２変速装置５８Ｂの第２変速機８４Ｂ、制御部８６Ｂ、および、アクチュエータ８７Ｂ、通信部８８Ｂ、および、変速状態検出装置８９Ｂのそれぞれの構造および機能と同一であってもよく、異なっていてもよい。第２変速装置５８Ｂは、変速状態検出装置８９Ｂを含んでいなくてもよい。
【手続補正５】
【補正対象書類名】明細書
【補正対象項目名】００８０
【補正方法】変更
【補正の内容】
【００８０】
制御部９３は、ステップＳ１３において、画面Ｄに表示中の項目の画像Ｐの変更要求があったか否かを判定する。具体的には、制御部９３は、操作装置５３の操作部６６または表示装置９０の操作部９６に画面Ｄに表示中の項目に関する操作が行われた場合、画面Ｄに表示中の項目の内容が、自転車１０の走行および時刻に応じて変化した場合、画面Ｄに表示中の項目の画像Ｐの変更要求があったと判定する。制御部９３は、自転車用電子システム５０に含まれる装置が画面Ｄに表示中の項目の内容を変更する動作を行った場合、画面Ｄに表示中の項目の画像Ｐの変更要求があったと判定してもよい。制御部９３は、画面Ｄに表示中の項目の画像Ｐの変更要求があったと判定した場合、ステップＳ１４に移行し、画像Ｐの変更が可能か否かを判定する。制御部９３は、画像Ｐの変更が不可能と判定した場合には、ステップＳ１３の処理に移行する。例えば、制御部９３は、接続される自転車用コンポーネント５６が変更要求のあった画像Ｐと対応する機能を有していない場合に、画像Ｐの変更が不可能と判定する。また、例えば、制御部９３は、変速比が最大のときに、変速比を大きくする操作が操作装置５３の操作部６６に行われた場合、画像Ｐの変更が不可能と判定する。第１表示領域Ｒ１、第３表示領域Ｒ３、第４表示領域Ｒ４および第８表示領域Ｒ８に表示される項目の内容は、自転車１０の走行および時刻に応じて変化する。
【手続補正６】
【補正対象書類名】明細書
【補正対象項目名】００９１
【補正方法】変更
【補正の内容】
【００９１】
図２および図３に示される通信部９１は、自転車１０に搭載されるまたは自転車１０に乗車しているライダーに装着される電子機器と通信可能に接続される。自転車１０に搭載される自転車用コンポーネント５６およびライダーに装着されるセンサの少なくとも一方を含む電子機器には、自転車用電子システム５０を構成する各装置が含まれる。電子機器には、バッテリユニット５２、操作装置５３、ランプ５４、車速センサ５５、および、自転車用コンポーネント５６が含まれる。
【手続補正７】
【補正対象書類名】明細書
【補正対象項目名】００９５
【補正方法】変更
【補正の内容】
【００９５】
制御部９３は、ステップＳ２３において、画面Ｄ１に含まれる表示領域Ｒの大きさの変更が必要か否かを判定する。具体的には、記憶部９４に予め記憶されている画面Ｄ１に表示可能な全ての項目について、項目に画像Ｐを表示するための情報を取得できる電子機器が接続されていない場合、制御部９３は、該当する画像Ｐを表示する表示領域Ｒを削除または縮小し、他の表示領域Ｒを拡大する必要があると判定する。また、記憶部９４に予め記憶されている画面Ｄ１に表示可能な項目を追加する電子機器が接続されている場合、制御部９３は、該当する画像Ｐを表示する表示領域Ｒを追加し、他の表示領域Ｒを縮小する必要があると判定する。
【手続補正８】
【補正対象書類名】図面
【補正対象項目名】図６
【補正方法】変更
【補正の内容】
【図６】
2018103688.tif 000001